(57)【要約】      （修正有）【課題】簡便に出し入れすることができ、しかも外観に影響を与えることなく、携帯電話やスマートフォンを収納するポケット付の衣服を提供する。【解決手段】ポケット付衣服１０は、スリーブ５の表生地５ｂに形成され、線状開口の長さ方向がスリーブの長さ方向ａ２と交叉する方向ａ１に設けられたポケット口１と、表生地５ｂの内面側に形成され、ポケット口１を内面側から包囲して、袖口側に伸びた袋部２と、袋部２の内部領域のうちポケット口１より袖口側に、内部領域の収容断面を狭める弾性体からなる絞り通路部３とを備える。【選択図】図1
0003169385.tif 000002
【実用新案登録請求の範囲】
【請求項１】
スリーブの表生地に形成され、線状開口の長さ方向がスリーブの長さ方向と交叉する方向に設けられたポケット口と、
前記表生地の内面側に形成され、前記ポケット口を前記内面側から包囲して、袖口側に伸びた袋部と、
前記袋部の内部領域のうち前記ポケット口より袖口側に、該内部領域の収容断面を狭める弾性体からなる絞り通路部とを備えたことを特徴とする、携帯情報端末機などの収納される携帯電話及びスマートフォン収納ポケット付き衣服。
【請求項２】
前記絞り通路部は、弾性生地でテーパー状に形成され、径大側の一端縁部が前記袋部の内面に止着され、径小側の他端縁部が自由状態とされ、かつ前記他端縁部の左右が前記ポケット口より袖口側の表生地に弾性体を介して表生地に固定されていることを特徴とする請求項１記載の携帯電話及びスマートフォン収納ポケット付き衣服。
【請求項３】
前記絞り通路部は、布生地で筒状に形成され、一端縁部を前記袋部の内面に止着され、他端縁部を自由状態にされると共に弾性紐を付設され、該弾性紐の弾力で前記一端縁部よりも径小状態に保持されていることを特徴とする請求項１記載の携帯電話及びスマートフォン収納ポケット付き衣服。
【考案の詳細な説明】
【技術分野】
【０００１】
本考案は、スリーブにポケットを付けて携帯電話やスマートフォンを収納できるようにしたポケット付衣服に関する。
【背景技術】
【０００２】
衣服に携帯電話やスマートフォンを収容する専用のポケットを設けられることがある。ポケットは、胸の内側や外側、脇の下、或いはスリーブ（袖）の上腕部等に取り付けられる。このうち、ポケットをスリーブの上腕部に取り付けた例として例えば特許文献１及び２に開示されたものがある。
【０００３】
特許文献１のポケットは、スリーブ生地の上腕付近に水平方向に沿う切り口を設け、この切り口の下部切り口には下方へ向けてポケット底袋を、そして上部切り口には上方へ向けて頭部隠し袋を設けている。切り口を通じて携帯電話器の下部をポケット底袋内に挿入し、その後に、その携帯電話器の上部を頭部隠し袋内に挿入するようにして携帯電話器を収納する。
【０００４】
特許文献２のポケットは、スリーブ生地の上腕部付近に水平方に沿う切り口を設け、スリーブ生地の後面の内側に切り口を開口としたポケット袋を形成し、切り口の上辺に帯体を取り付けている。切り口を通じて携帯電話器の本体部をポケット袋内に挿入し、その後、帯体により切り口を閉じる。
【先行技術文献】
【特許文献】
【０００５】
【特許文献１】登録実用新案第３０５８９０８号公報
【特許文献１】登録実用新案第３０６１８１８号公報
【考案の概要】
【考案が解決しようとする課題】
【０００６】
携帯電話やスマートフォンなどの携帯情報端末機をポケット内に収納して携行している場合において、電話がかかったとき、出来るだけ早くポケット内から取り出して電話を受け、通話が終了した後は、元の場所に手早く戻せることが望ましい。
【０００７】
特許文献１に開示された技術では、携帯電話器を使用する都度、ポケット底袋及び頭部隠し袋の双方にそれを出し入れすることが必要であり、また特許文献２に開示された技術では、携帯電話器を使用する都度、切り口を閉じている帯体の操作が必要である。
【０００８】
衣服のスリーブの位置においては、腕を上げたり下げたりする動作が行われるために、ポケットの入口の天地が逆転することが頻繁に起こる。従って、ポケット内からの抜け出しを防止する必要があるが、このような構造が携帯情報端末機の取り出しに影響を与える。
【０００９】
本考案は、ポケット内を簡便に出し入れすることができ、かつ腕を上げたときにポケット内の携帯情報端末機等が落下しにくいポケット付の衣服を提供することを目的とする。
【課題を解決するための手段】
【００１０】
上記課題を達成するため、本考案のポケット付の衣服は、スリーブの表生地に形成され、線状開口の長さ方向がスリーブの長さ方向と交叉する方向に設けられたポケット口と、前記表生地の内面側に形成され、前記ポケット口を前記内面側から包囲して、袖口側に伸びた袋部と、前記袋部の内部領域のうち前記ポケット口より袖口側に、該内部領域の収容断面を狭める弾性体からなる絞り通路部とを備えたことを特徴とする。
【考案の効果】
【００１１】
本考案によれば、携帯情報端末機等をポケットに収納するさいはポケット内に向けて単に押力を付与するだけでよく、また該ポケット内に収納された状態の携帯情報端末機などを外方へ取り出すときは携帯情報端末機の本体部或いは、その本体部から延出された紐などを手指で持って単に外側へ向かう引き力を付与することで取り出せる。
また、腕を上げても、ポケット内に設置された絞り通路により携帯情報端末機等の落下が防止され、またポケット口周辺にはポケット口のみが表生地の外側に現れるので、蓋をつけるなどという衣服外観のデザインに影響を与えることがない。
【図面の簡単な説明】
【００１２】
【図１】実施例に係る衣服の一部を示す正面図である。
【図２】ポケットに携帯情報端末機を収納した状態を示す要部斜視図である。
【図３】上腕箇所を示す正面図である。
【図４】上腕箇所の表生地を展開した状態を示す平面図である。
【図５】スリーブの表生地を示す展開図である。
【図６】スリーブのポケットを示す断面図である。
【図７】ポケットを示す斜視断面図である。
【図８】ポケットの絞り通路部の筒体部を示す斜視図である。
【図９】ポケットの使用例を示す説明図である。
【図１０】他実施例に係るポケットを示すものである。
【考案を実施するための形態】
【００１３】
以下、本考案の一実施例について図面を参照して詳細に説明する。
【実施例１】
【００１４】
図１に示すように、一実施例による衣服１０のスリーブ５には、ポケット４が形成されている。ポケット４は、ポケット口１と、スリーブ５の袖口側に向けて延びた袋部２及び袋部２の内部に配置された絞り通路部３を有している。
【００１５】
ポケット口１は、スリーブ５の上腕部５ａの表生地５ｂに、スリーブ5の長さ方向ａ２と交叉する方向ａ１に線状に開口している。このポケット口１の形成は、次のように行う。表生地５ｂに図５Ａに示すような線状の切込みｂ１、ｂ２、ｂ３を入れた後、図５Ｂに示すように、上下左右の各箇所ｃ１、ｃ２、ｃ３、ｃ４のそれぞれを裏面側に折り返して長辺１ａが方向ａ１へ長い長方形の開口ｄ１が形成された状態とする。
【００１６】
そして図6Ａ及び図７に示すように、開口ｄ１の上側となる表生地５ｂの内側には2層折りとした上布片６をこれの下縁部６ａが開口ｄ１の上辺ｅ１に合致するように縫着する。また開口ｄ１の下側となる表生地５ｂの内側には上半部が２層になるように折り重ねられた玉縁布部材７を配置して、玉縁最上箇所ｅ２が開口ｄ１の上辺ｅ１に遊離状態で近接された状態とする。そして、この玉縁布部材７の２層箇所の下部とこれよりも下側である単層部の下寄り箇所とを縫い糸８ａ、８ｂを介して表生地５ｂに縫着する。
【００１７】
図5に示す開口ｄ１の左右箇所ｃ３、ｃ４である表生地５ｂ部分は上布片６及び玉縁布部材７の対応する箇所を積層させた状態で方向ａ１に直交する方向へ縫合する。こうして形成されたポケット口１は図6中のイ部分のみを方向ａ１の線状に貫通された状態となる。
【００１８】
ポケット口１は、上腕部５ａの上端寄りの前面上部に位置する。衣服１０が着用された状態では、図2に示すように上腕部５ａを自然に下げた状態で、ポケット口１は上を向いて開口し、かつその方向ａ１は着用者の身体幅中心へ向け漸次に降下する傾きを有している。
【００１９】
図6Ａに示すように、袋部２は、表生地５ｂの内面側に形成され、外周囲を袋布部材９で包囲され、内部領域ｈ１の上部がポケット口１を内側から包囲した構成としてある。
この袋部２は、展開形状が長方形である袋布部材９をスリーブ５の表生地５ｂの裏面上に積層させ、袋布部材９の上部がポケット口１を被い、この状態の下で、袋布部材９の上下左右の各縁部を表生地５ｂに縫い糸ｉ１、ｉ２を介して縫合し、縫い糸ｉ１、ｉ２による縫い目が図３及び図４に示すように２列の方形状となるように形成する。また袋布部材９は上縁部を上布片６と共に表生地５ｂに縫着させる。これにより、ポケット口１を取り巻く表生地５ｂが袋部２の一部を兼用し、袋部２は外側の袋布部材である表生地５ｂ部分と内側の袋布部材９とで内部領域ｈ１を囲まれた状態となる。この内部領域ｈ１のうち、絞り通路部３の下側が携帯情報端末機ｇ1などの収容領域ｈ２となる。
【００２０】
絞り通路部３は、袋部２の内部領域ｈ１のうちポケット口１より下側に配置され、負荷のかかっていない状態では、収容領域ｈ２の収容断面を狭める弾性体３ａを有している。物品ｇ１がポケット口１を通じて袋部２内の収容領域ｈ２に押し込み負荷がかかると、弾性体３ａは物品ｇ１により押し広げられ、絞り通路部３における収容領域ｈ２の収容断面を広げて物品ｇ１を通過させる。一方、このように収納された後、弾性収縮により絞り通路部３における収容領域ｈ２の収容断面が狭まり、弾性体３ａは物品ｇ１が通り抜け困難な障壁になる。物品ｇ１を取り出すときには、人の手による取り出し力により、絞り通路部３における収容領域ｈ２の収容断面が広がり、ポケット口１を通じて表生地５ｂの外側へ取り出される。
【００２１】
絞り通路部３の形成は、図8に示すように、弾性生地であるニット生地を長方形に裁断して形成した帯状の弾性体３ａを２枚用意し、これらを積層させた状態で左右各端部を縫い糸ｊ１、ｊ２で縫着してテーパー状の筒体部３ｂとしたものである。この筒体部３ｂは袋部２の内部領域ｈ１のうちポケット口１より下側に配置し、筒体部３ｂの径大側の一端縁部ｋ１の外側の半分箇所ｋ０１が玉縁布部材７の上半分範囲の内側の層部に縫着され、一端縁部ｋ１の内側の半分箇所ｋ０２が袋布部材９の外側となる面の対応箇所に縫着されている。そして、筒体部３ｂの径小側である他端縁部ｋ２は袖口側において他所に固定しない自由状態である。両端縁部Ｌ１、Ｌ２は、縫い糸ｉ１、ｉ２を介して表生地５ｂに縫着させる。他端縁部ｋ２の左右の両端縁部Ｌ１、Ｌ２が表生地５ｂに縫着されることで、他端縁部ｋ２はニット生地という弾性体を介して左右をポケット口１より袖口側の表生地５ｂに固定された状態となる。この結果、ポケット口１の上方に取り出そうとすると、ニット生地の弾性力によりポケット口１の袖口側にむけて引き込む力が生じる。
他端縁部ｋ２の自由状態での直径は、携帯情報端末機などの物品ｇ１が筒体部３ｂの内孔内に押し込まれたとき、筒体部３ｂから一定大きさ以上の抵抗力を付与された状態でのみ他端縁部ｋ２の内孔内を通過できる大きさに設定される。
【００２２】
次に本実施例の衣服１０の使用例について説明する。
殆どの場合、その上腕部５ａはほぼ真下に下げた状態にされる。したがって、ポケット口１は殆どの場合において、上を向いて開口している。
この状態において、図９Ａに仮想線ｒ１で示すように示すように、着用者は反対側の手で携帯情報端末機ｇ１の下端部をポケット口１を通じて絞り通路部３まで到達させる。
【００２３】
次にこの携帯情報端末機ｇ１を袋部２内に向けて押し込むようにする。これにより、携帯情報端末機ｇ１は図９Ａに示すように絞り通路部３内に強制的に押し込まれて弾性体３ａであるニット生地の弾力に抗して絞り通路部３の下部である他端縁部ｋ２を拡径変形させ、筒体部３ｂの内孔内をその弾性抵抗に打ち勝って下方へ移動する。
【００２４】
携帯情報端末機ｇ１の全体が図9Ａ中に仮想線ｒ２で示すように袋部２内の絞り通路部３の下側の収容領域ｈ２に到達して収納された状態となる。このとき、絞り通路部３の下部はニット生地の弾力で収縮され、元の小径状態に復帰する。
【００２５】
その後、着用者が上腕部５ａを挙げる行為をしたり或いは倒立姿勢となるなどの行為をしたとき、ポケット口１は下向き側へ傾斜したり或いは真下向きとなって、携帯情報端末機ｇ１がその自重により袋部２内でポケット口１へ向けて降下変位しようとする。このとき、絞り通路部３がニット生地の弾力でその降下変位を恰も逆止弁のように規制するのであり、これにより携帯情報端末機ｇ１は袋部２内の収容領域ｈ２に確実に保持される。
【００２６】
さらに袋布部材９が表生地５ｂに縫着されて袋部２が形成されているため、袋部２内に収納された携帯情報端末機ｇ１は自身の厚さのため表生地５ａと袋布部材９で圧迫されて無駄な動きを規制され、また袋部2の幅ｑ１（図２）が携帯情報端末機ｇ１のそれに適合させてあるため、その向きが安定的に維持される。
【００２７】
一方、着用者が上記のように袋部２内に収納して図９Ｂ中に仮想線でｒ３示す状態となった携帯情報端末機ｇ１を外方へ取り出すときは、ポケット口１及び絞り通路部３を通じて袋部２内に手を差し込み、携帯情報端末機ｇ１の上部を把持し、この上部に対し、絞り通路部３の弾性抵抗に打ち勝つ大きさの引き力を付与する。
【００２８】
これにより、絞り通路部３の下部は図９Ｂに示すようにニット生地の弾性に抗して拡径変形され、携帯情報端末機ｇ１などは絞り通路部３の弾性抵抗に打ち勝って引き上げられ、仮想線ｒ４で示す位置を経てポケット口１から外方へ取り出される。
【００２９】
このさい、絞り通路部３は筒体部３ｂの上側の一端縁部ｋ１と両端縁部Ｌ１、Ｌ２のみが表生地５ｂや袋部２に縫着されていて、それ以外は方向ａ２の変位を各部位の位置に対応した範囲内で許容されているため、携帯情報端末機ｇ１の移動のさいにはこの許容範囲内で、図9Ｂ中に仮想線ｒ４で示す位置の携帯情報端末機ｇ１の表面に摩擦力を介して連れ移動し肩口に向けて上向きに引き上げられるようになる。しかし、絞り通路部３の筒体部３ｂは両端縁部Ｌ１、Ｌ２が表生地５ｂに縫着されているため、他端縁部ｋ２は常に収容領域ｈ２側へ向く力がかかっている
上記のように上向きに引き上げられ、図９Ｂに示すように筒体部３ｂがポケット口１から外報に引き出されたとしても、携帯情報端末ｇ１がポケット外に取り出された際は自然と
下方へ引き込まれ初期位置に復帰され、ポケット口１周辺の外観を損ねることは無い。
【００３０】
上記したところから明らかなように、本実施例によれば、携帯情報端末機ｇ１は片手による簡易な操作でポケット４に対し出し入れでき、絞り通路部３の存在により袋部２内での収納状態を保持される。また、絞り通路部３が、衣服１０の外観に現れないのでデザインに影響を与えない。
【実施例２】
【００３１】
図10は実施例１の変形例を示している。この変形例における絞り通路部３は、帯状の非伸縮性の布生地で形成された筒体部３ｂと、弾性体である紐３ｃを有する構成としている。この筒体部３ｂの一端縁部ｋ１は袋部２の内側で玉縁布部材７の内側の層部に縫着している。他端縁部ｋ２は自由状態にしてあり、この他端縁部ｋ２の全周箇所の布生地を上側へ折り重ね、この折り重ね部を縫い糸を介して縫合することで紐通し孔３ｄを形成する。この紐通し孔３ｄに弾性体である紐３ｃを挿通し、紐３ｃの弾力で一端縁部ｋ１よりも小径状態に保持させて紐３ｃの弾力に抗して下端縁部ｋ２の拡径変形可能としている。その他の構成は実施例１のものと変わりない。この変形例によっても実施例１と同様な効用が得られる。
【実施例３】
【００３２】
図6Ｂは実施例１の他の変形例を示している。袋布部材９とこれの外側に位置した表生地５ｂ部分との間に袋布部材９と同一形状の付加布部材１０が設けてある。この付加布部材１０と袋布部材９とは表生地５ｂに縫い糸ｉ１、ｉ２を介して縫合している。また付加布部材１０の上端縁部は玉縁布部材７に縫い糸８ｂ、８ｃを介して縫着してある。袋部２の収容領域ｈ２は付加布部材１０と袋布部材９とで囲まれた範囲であり、携帯情報端末機ｇ１は仮想線で示すように収納される。このような構成とすれば、ポケット４に対する携帯情報端末機ｇ１の出し入れに伴う表生地５ｂの損耗が軽減される。その他の構成は実施例１のものと変わりない。
【符号の説明】
【００３３】
１  ポケット口
２  袋部
３  絞り通路部
３ａ  弾性体
３ｃ  弾性紐
５  スリーブ
５ａ  上腕箇所
５ｂ  表生地
９  袋布部材
ａ１  交叉方向
ａ２  スリーブ長さ方向
ｇ１  物品（携帯情報端末機）
ｈ１  内部領域
ｋ１  一端縁部
ｋ２  他端縁部
θ１  角度
【図１】
0003169385.tif 000003
【図２】
0003169385.tif 000004
【図３】
0003169385.tif 000005
【図４】
0003169385.tif 000006
【図５】
0003169385.tif 000007
【図６】
0003169385.tif 000008
【図７】
0003169385.tif 000009
【図８】
0003169385.tif 000010
【図９】
0003169385.tif 000011
【図１０】
0003169385.tif 000012